(57)【要約】      （修正有）【課題】簡単に素早くオーバークロックできるコンピュータオーバークロックの制御装置を提供する。【解決手段】コンピュータユニット１２を収容するコンピュータ筺体１１からなり、筺体上には、コンピュータユニットと電気的に接続された制御モジュール２と、制御モジュールと電気的に接続された表示装置４と、制御モジュールのデータと連結された操作装置５と、制御モジュールと電気的に接続されたファン装置６が設けられ、筺体内には制御モジュールと電気的に接続される温度感測裝置３が設けられる。使用時には、制御モジュールによりファン装置及び表示装置が作動し、温度感測裝置により温度が感知されると、表示装置により表示され、操作装置が制御モジュールによりファン装置の動作を変える。操作装置を操作し、制御モジュールによりファン装置及びコンピュータユニットの動作を変えることでオーバークロックできる。【選択図】図１
0003213116.tif 000002
【実用新案登録請求の範囲】
【請求項１】
コンピュータ筺体と、制御モジュールと、温度感測裝置と、少なくとも１つの表示装置と、少なくとも１つの操作装置と、少なくとも１つのファン装置と、からなるコンピュータオーバークロックの制御装置であって、
前記コンピュータ筺体には、コンピュータユニットが収容され、
前記制御モジュールは、前記コンピュータユニットと電気的に接続され、前記制御モジュールは、前記コンピュータ筺体上に設けられ、
前記温度感測裝置は、前記コンピュータ筺体内に設けられるとともに、前記制御モジュールと電気的に接続され、
前記表示装置は、前記コンピュータ筺体上に設けられ、且つ前記制御モジュールの側部に位置するとともに、前記制御モジュールと電気的に接続され、
前記操作装置は、前記コンピュータ筺体上に設けられ、前記表示装置の側部に位置するとともに、前記制御モジュールのデータと連結されることによって前記コンピュータユニットを連係して作動させ、
前記ファン装置は、前記コンピュータ筺体上に設けられるとともに、前記制御モジュールと電気的に接続されることによって、前記操作装置と連係して作動することを特徴とする、コンピュータオーバークロックの制御装置。
【請求項２】
前記制御モジュールは、少なくとも１つの電源裝置に電気的に接続されるとともに、前記電源裝置は、前記コンピュータユニットと電気的に接続されることを特徴とする、請求項１に記載のコンピュータオーバークロックの制御装置。
【請求項３】
前記電源裝置は、１２Ｖ規格の電源コネクタまたは５Ｖ規格の電源コネクタのうちの１つに適合することを特徴とする、請求項２に記載のコンピュータオーバークロックの制御装置。
【請求項４】
前記制御モジュールは、少なくとも１つのポートに電気的に接続されるとともに、前記ポートは、前記コンピュータユニットと電気的に接続されることを特徴とする、請求項１に記載のコンピュータオーバークロックの制御装置。
【請求項５】
前記ポートは、前記コンピュータ筺体上に設けられる少なくとも１つの拡張ポートに電気的に接続されることを特徴とする、請求項４に記載のコンピュータオーバークロックの制御装置。
【請求項６】
前記表示装置は、少なくとも１つの７段階表示装置と、前記７段階表示装置の側部に設けられる少なくとも１つの発光部品を備えることを特徴とする、請求項１に記載のコンピュータオーバークロックの制御装置。
【請求項７】
前記操作装置は、少なくとも１つのステートスイッチ部品と、前記ステートスイッチ部品の側部に設けられる少なくとも１つの調整部品と、前記調整部品の側部に設けられる少なくとも１つのモード切換部品を備えることを特徴とする、請求項１に記載のコンピュータオーバークロックの制御装置。
【請求項８】
前記ファン装置は、少なくとも１つの吸気ファンと、前記吸気ファンの位置と相対して設置された少なくとも１つの排気ファンを備えることを特徴とする、請求項１に記載のコンピュータオーバークロックの制御装置。
【請求項９】
前記コンピュータユニットは、前記制御モジュールのデータと連結された少なくとも１つの駆動装置と、前記駆動装置のデータと連結され連係して作動する少なくとも１つの処理装置を備えることを特徴とする、請求項１に記載のコンピュータオーバークロックの制御装置。
【請求項１０】
前記処理装置は、マザーボード、中央処理装置（ＣｅｎｔｒＡｌ  Ｐｒｏｃｅｓｓｉｎｇ  Ｕｎｉｔ、ＣＰＵ）、グラフィックカード、または電源供給装置のうちの１つ
であることを特徴とする、請求項９に記載のコンピュータオーバークロックの制御装置。
【考案の詳細な説明】
【技術分野】
【０００１】
本考案は簡単で便利な上、迅速に使用できるコンピュータオーバークロックの制御装置に関する。
【背景技術】
【０００２】
コンピュータを常に最も安全な状態で作動させるため、コンピュータ内の従来基本入出力システム（Ｂａｓｉｃ Ｉｎｐｕｔ／Ｏｕｔｐｕｔ Ｓｙｓｔｅｍ、ＢＩＯＳ）によってコンピュータの各部品は制御されており、各部品の操作パラメータが、安全値以下に保たれることによって、各部品が安全に、また安定して作動するとともに、その負荷を超えないように確保されている。これにより、各部品は、さらに大きな負荷に対応することができ、性能が向上する。
【０００３】
しかしながら、コンピュータの各部品の性能は、その動作周波数及び動作電圧と関係があるため、最も基本的な方法は、従来の基本入出力システムを起動させ、制御したい部品の動作周波数または動作電圧を調整してその性能を向上させる、俗にオーバークロックと呼ばれる方法である。しかしながら、オーバークロックはコンピュータの各部品に一定のダメージを与えるとともに、安全性が懸念されるため、一般に特別な必要がある場合にのみオーバークロックされ、通常は安全値以下で使用されている。
【０００４】
しかしながら、動作周波数または動作電圧を調整する必要がある時、毎回コンピュータを起動しなおしてからでなければ従来の基本入出力システムの設定画面を起動させることができないため、使用上非常に面倒である。
【考案の概要】
【考案が解決しようとする課題】
【０００５】
本考案は、簡単で、気軽に素早くコンピュータ筺体上の操作裝置から直接オーバークロックできる制御装置を提供することを目的とする。
【課題を解決するための手段】
【０００６】
上述の目的を達成するため、本考案は、コンピュータユニットが収容されるコンピュータ筺体からなり、コンピュータ筺体には、コンピュータユニットと電気的に接続された制御モジュールが設けられるとともに、制御モジュールは、コンピュータ筺体内に設けられる温度感測裝置に電気的に接続される。さらに、コンピュータ筺体には、制御モジュールと電気的に接続される表示装置が設けられ、制御モジュールのデータは、コンピュータ筺体上に設けられる操作装置に連結されるとともに、制御モジュールは、コンピュータ筺体上に設けられるファン装置に電気的に接続される。使用時に、制御モジュールによりファン装置が作動することによって、コンピュータ筺体内の温度が調整され、温度感測裝置によってコンピュータ筺体内の温度が感知されるとともに、表示装置によってファン装置の状態またはコンピュータ筺体内の温度が表示される。使用者は、コンピュータを起動しなおすことなく、操作装置を随時操作して制御モジュールに伝達してファン装置の状態を変えることにより、コンピュータ筺体内の温度が制御される。さらに、オーバークロックする必要がある時、操作装置を随時操作して制御モジュールにメッセージを伝達し、制御モジュールがファン装置とコンピュータユニットにメッセージを伝達することによって、コンピュータの作動状態が調整され、オーバークロックの目的が達成される。さらに、オーバークロックの必要がない時は、直接操作装置を操作することでファン装置とコンピュータユニットが正常に作動するよう回復される。
【考案の効果】
【０００７】
上述の技術により、従来の基本入出力システムに存在する使用における煩わしさという問題点が解決され、使用上簡単且つ便利で迅速であるという実用進歩性が達成される。
【図面の簡単な説明】
【０００８】
【図１】本考案の構造を示した図である。
【図１Ａ】本考案の一部を示した図である。
【図２】本考案の表示状態を示した図である。
【図３】本考案におけるステートスイッチを示した図である。
【図４】本考案における調整状態を示した図である。
【図５】本考案におけるモードの切り替えを示した図である。
【考案を実施するための形態】
【０００９】
参照する図１及び図１Ａから分かる通り、本考案は、コンピュータ筺体１１と、制御モジュール２と、温度感測裝置３と、少なくとも１つの表示装置４と、少なくとも１つの操作装置５と、少なくとも１つのファン装置６と、からなる。コンピュータ筺体１１には、コンピュータユニット１２が収容されるとともに、コンピュータユニット１２は、少なくとも１つの制御モジュール２のデータと連結された駆動裝置１２１と、少なくとも１つの駆動裝置１２１のデータと連結されることによって連係して作動する処理装置１２２を備える。本実施例では、駆動装置１２１は駆動プログラムを備えるとともに、処理装置１２２をマザーボード、中央処理装置（ＣｅｎｔｒＡｌ  Ｐｒｏｃｅｓｓｉｎｇ  Ｕｎｉｔ、ＣＰＵ）、グラフィックカード、または電源供給装置のうちの１つとして実施する。
【００１０】
制御モジュール２は、コンピュータ筺体１１上に設けられるとともに、少なくとも１つのポート８によってコンピュータユニット１２と電気的に接続され、ポート８は、コンピュータ筺体１１上に設けられる少なくとも１つの拡張ポート８１と電気的に接続される。本実施例において、ポート８及び拡張ポート８１は、ユニバーサルシリアルバス（ＵｎｉＶｅｒｓＡｌ  ＳｅｒｉＡｌ  Ｂｕｓ、ＵＳＢ）に適合する規格で実施される。制御モジュール２は、少なくとも１つの電源裝置７に電気的に接続され、電源裝置７は、コンピュータユニット１２に電気的に接続されるとともに、電源裝置７は、１２Ｖ規格の電源コネクタまたは５Ｖ規格の電源コネクタのうちの１つに適合する。本実施例では、１２Ｖ規格の電源コネクタに適合するものとして実施する。
【００１１】
温度感測裝置３は、コンピュータ筺体１１内に設けられるとともに、制御モジュール２と電気的に接続される。本実施例では、温度感測裝置３は、制御モジュール２の側部に設けられるものとして実施する。必要に応じて、温度感測裝置３は、コンピュータ筺体１１内の任意の場所に配置されるよう変更され、表示装置４は、コンピュータ筺体１１上に設けられるとともに、制御モジュール２の側部に位置し、制御モジュール２と電気的に接続される。本実施例では、表示装置４は、少なくとも１つの７段階表示装置４１と、７段階表示装置４１の側部に設けられる少なくとも１つの発光部品４２を備えるものとして実施する。
【００１２】
操作装置５は、コンピュータ筺体１１上に設けられ、表示装置４の側部に位置するとともに、制御モジュール２のデータと連結されることによってコンピュータユニット１２は連係して作動する。本実施例では、操作装置５を複数キーとするとともに、操作装置５は、少なくとも１つのステートスイッチ部品５１と、ステートスイッチ部品５１の側部に設けられる少なくとも１つの調整部品５２と、調整部品５２の側部に設けられる少なくとも１つのモード切換部品５３と、からなるものとして実施する。
【００１３】
ファン装置６は、コンピュータ筺体１１上に設けられ、制御モジュール２と電気的に接続されることによって操作装置５と連係して作動するとともに、本実施例では、ファン装置６は、少なくとも１つの吸気ファン６１と、吸気ファン６１の位置と相対して設置された少なくとも１つの排気ファン６２を備えるものとして実施する。
【００１４】
参照する図１から図５から分かる通り、使用時に、制御モジュール２は、電源裝置７から電力を取得し、ファン装置６の吸気ファン６１及び排気ファン６２を作動させその回転率または実回転速度を制御するとともに、作動データを表示装置４の７段階表示装置４１に伝達する。同時に、温度感測裝置３は、コンピュータ筺体１１内の温度を感知して制御モジュール２に伝達するとともに、制御モジュール２は７段階表示装置４１に伝達する。さらに、制御モジュール２によって、表示装置４の発光部品４２と７段階表示装置４１は互いに連係して作動するため、使用者は、操作装置５のステートスイッチ部品５１を操作して表示装置４（７段階表示装置４１及び発光部品４２）が、吸気ファン６１の回転率または実回転速度、排気ファン６２の回転率または実回転速度、または温度感測裝置３の感測温度等のような異なる状態を表示するように変えることができる。図２では、感測温度を４０度と表示するものとして実施する。
【００１５】
吸気ファン６１または排気ファン６２の回転率または実回転速度を変える必要がある場合、ステートスイッチ部品５１を操作して制御モジュール２を連動させるとともに、制御モジュール２によって、発光部品４２は７段階表示装置４１と連係して作動することで、現在の状態と回転速度を表示する。図３では、現在の状態を吸気モードに変えて表示しているとともに、吸気ファン６１の回転率が最高回転速度である４５％に達しているものとして実施する。さらに、調整部品５２を直接操作することで、制御モジュール２によって吸気ファン６１または排気ファン６２の回転速度を直接変えることができるとともに、７段階表示装置４１によって変換結果を同時に表示することができるため、非常に簡単で便利な上、迅速に使用できる。図４では、使用者が吸気ファン６１の回転率を調整部品５２によって直接最高回転速度の５０％まで上げている。
【００１６】
オーバークロックする必要がある場合には、モード切換部品５３を直接操作して起動させるだけでよいため、使用過程において起動しなおす必要がなく、直接オーバークロックして切り換えることができる。制御モジュール２は、その設定に基づいて吸気ファン６１または排気ファン６２の回転数率または実回転速度を直接変更するとともに、設定に基づいて駆動装置１２１にメッセージを伝達し、駆動装置１２１によって各処理装置１２２が、オーバークロックすることで、オーバークロックモードで使用される。図５に示すように、使用者がモード切換部品５３によってオーバークロックモードに直接切り換えることで、吸気ファン６１の回転率は最高回転速度の８０％にまで上がる。反対に、オーバークロックモードを終了したい時には、再びモード切換部品５３を操作して終了させるだけでよいため、非常に簡単で便利な上、迅速に使用できる。さらに、使用者が駆動装置１２１において、吸気ファン６１の回転数、排気ファン６２の回転数、または各処理装置１２２におけるオーバークロック（動作周波数または動作電圧）等といった、オーバークロックモードの設定を必要に応じて自分で変更することもできる。
【００１７】
本考案の起動時に、モード切換部品５３がすでに起動している場合、制御モジュール２は、前回の設定に基づいて吸気ファン６１、排気ファン６２、駆動装置１２１にメッセージを伝達することによって、直接オーバークロックモードにする目的が達成される。
【００１８】
さらに、制御モジュール２自体のプログラムのデータを更新する必要がある場合、拡張ポート８１によってＵＳＢメモリ等の保存装置と連結して伝達することができる。
【符号の説明】
【００１９】
１１  コンピュータ筺体
１２    コンピュータユニット
１２１  駆動裝置
１２２  処理装置
２      制御モジュール
３      温度感測裝置
４      表示装置
４１    ７段階表示装置
４２    発光部品
５      操作装置
５１    ステートスイッチ部品
５２    調整部品
５３    モード切換部品
６      ファン装置
６１    吸気ファン
６２    排気ファン
７      電源裝置
８      ポート
８１    拡張ポート
【図１】
0003213116.tif 000003
【図１Ａ】
0003213116.tif 000004
【図２】
0003213116.tif 000005
【図３】
0003213116.tif 000006
【図４】
0003213116.tif 000007
【図５】
0003213116.tif 000008